(57)【要約】【課題】椅子型マッサージ機において、着座者の体重や体格等に影響されることなく、座部に設けられたマッサージ手段のマッサージ効果を、十分に得ることができるようにする。【解決手段】椅子本体３に対し、大腿上方を跨った状態でその両端部を椅子本体３側の適所へ連結されるベルト部材１０が設けられ、このベルト部材１０の少なくとも一端部は椅子本体３に対して連結及び離脱自在とされ、さらにこのベルト部材１０には着座者の大腿上面にマッサージ動作を施すマッサージ手段が設けられている。【選択図】図１
2006346353.tif 000002
【特許請求の範囲】
【請求項１】
座部が設けられた椅子本体を有し、この座部には着座者の臀部乃至大腿裏にかけた一部又は全部にマッサージ動作を施すマッサージ手段が設けられており、椅子本体には着座者の大腿上方を跨った状態でその両端部を椅子本体側の適所へ連結されるベルト部材が設けられ、このベルト部材の少なくとも一端部は椅子本体に対して連結及び離脱自在とされ、且つこのベルト部材には着座者の大腿上面にマッサージ動作を施すエア駆動によるマッサージ手段が設けられていることを特徴とする椅子型マッサージ機。
【請求項２】
前記ベルト部材は、前記座部に設けられたマッサージ手段の動作時に着座者の大腿が座部上で持ち上げられるのを阻止するように構成されていることを特徴とする請求項１に記載の椅子型マッサージ機。
【請求項３】
前記ベルト部材は、着座者の片足の大腿上方を跨ぐスパン間でその両端部が椅子本体側適所へ連結可能となっていることを特徴とする請求項１又は２に記載の椅子型マッサージ機。
【請求項４】
前記椅子本体には、座部の幅方向中央部に前記ベルト部材の一端部との連結及び離脱を自在にするセンタ側ベルト連結部が設けられており、このセンタ側ベルト連結部は前後方向に位置調整自在とされていることを特徴とする請求項３に記載の椅子型マッサージ機。
【請求項５】
前記椅子本体には座部の左右両側で着座者の腕を支持するアームレストが設けられており、
前記ベルト部材は、座部とアームレストとの相隣間で一端部が支持された状態で他端側がこの支持端側からアームレストの上を超えてアームレストの左右外方へ架け渡し可能な自由端とされており、座部側から見てアームレストを超えた外側となる面の適所に上記ベルト部材の自由端を連結及び離脱自在にするサイド側ベルト連結部が設けられていて、
当該ベルト部材には、着座者の上腕にマッサージ動作を施すエア駆動によるマッサージ手段が設けられていることを特徴とする請求項１〜４のいずれかに記載の椅子型マッサージ機。
【請求項６】
前記上腕用のマッサージ手段と大腿上面用のマッサージ手段とが、同一の機構で構成されていることを特徴とする請求項５に記載の椅子型マッサージ機。
【請求項７】
前記サイド側ベルト連結部は前後方向に位置調整自在とされていることを特徴とする請求項５又は６に記載の椅子型マッサージ機。
【請求項８】
前記サイド側ベルト連結部はアームレストに対して出没方向に移動自在とされていることを特徴とする請求項５〜７のいずれかに記載の椅子型マッサージ機。
【請求項９】
前記アームレストには、座部に面する側面にベルト部材を収納するベルト収納部が設けられていることを特徴とする請求項５〜８のいずれかに記載の椅子型マッサージ機。
【請求項１０】
前記ベルト部材は、その長手方向に沿った長さ調節が自在とされていることを特徴とする請求項１〜９のいずれかに記載の椅子型マッサージ機。
【発明の詳細な説明】
【技術分野】
【０００１】
本発明は、椅子型マッサージ機に関するものである。
【背景技術】
【０００２】
座部を有して、この座部に座った着座者の臀部乃至大腿裏にかけた一部又は全部をマッサージできるように、座部内にマッサージ手段が設けられた椅子型マッサージ機は、いまや周知である（例えば、特許文献１等参照）。
なお多くの椅子型マッサージ機では、座部の後部に背もたれ部が設けられ、この背もたれ部内にも、凭れ掛かった着座者の背中をマッサージするためのマッサージ手段が設けられているのが普通である。更に、座部の左右両側にはアームレストが設けられ、座部への着座者は、これら左右のアームレスト上へ腕を置いた姿勢でリラックスできるようになっている。
【０００３】
最近では、このアームレスト上へ置いた腕をマッサージするためのマッサージ手段を、アームレストに対して設けたものも提案されている（上記特許文献１参照）。
【特許文献１】特開２００５−２８０４５号公報
【発明の開示】
【発明が解決しようとする課題】
【０００４】
子供や高齢者、若い女性など、体重の軽い者や体格的に殊に下半身が細い者では、座部に設けられたマッサージ手段によるマッサージ効果を十分に受け難いということがあった。理由の一つとして、マッサージ手段が座部上の着座者を押し上げる方向に作用する動作（指圧など）や、着座者への面圧を確保した状態で行う動作（バイブレーションなど）に対し、着座者による下向きの負荷が不足し、結果、着座者が身体の一部又は全体として浮き上がり的な作用を受けてしまうためと推察することができる。
一方、座部に設けられたマッサージ手段によるマッサージ効果は、臀部〜太腿の下面側（後側）に作用するものであって、立ち仕事等で疲労したり凝り固まったりした太腿の上面側（前側）を十分にマッサージできるものとなってはいなかった。
【０００５】
本発明は、上記事情に鑑みてなされたものであって、着座者の体重や体格等に影響されることなく、太腿の前側及び後側（前部及び後部）を確実にマッサージできるようにした椅子型マッサージ機を提供することを目的とする。
【課題を解決するための手段】
【０００６】
前記目的を達成するために、本発明は次の手段を講じた。
即ち、本発明は、座部が設けられた椅子本体を有し、この座部には着座者の臀部乃至大腿裏にかけた一部又は全部にマッサージ動作を施すマッサージ手段が設けられており、椅子本体には着座者の大腿上方を跨った状態でその両端部を椅子本体側の適所へ連結されるベルト部材が設けられ、このベルト部材の少なくとも一端部は椅子本体に対して連結及び離脱自在とされ、且つこのベルト部材には着座者の大腿上面にマッサージ動作を施すエア駆動によるマッサージ手段が設けられていることを特徴とする。
【０００７】
こうすることで、太腿の上面側（前側）を十分且つ確実にマッサージできるようになる。
なお好ましくは、前記ベルト部材は、前記座部に設けられたマッサージ手段の動作時に着座者の大腿が座部上で持ち上げられるのを阻止するように構成されるとよい。
このような構成であれば、着座者の体重や体格等に影響されることなく着座者自身の浮き上がりを防止でき、マッサージ手段によるマッサージ効果を十分に得ることができる。
ベルト部材は、着座者の片足の大腿上方を跨ぐスパン間で、その両端部が椅子本体側適所へ連結可能とするのが好適である。このようにすることで、座部に対する大腿の拘束が確実となる。また、両足の大腿を一跨ぎに跨ぐようにする場合に比べ、左右の大腿を座部上で左右方向へ移動させる自由度を若干広くできるので、着座者に対して窮屈さを感じさせるおそれが少ない。更に片足の大腿だけ拘束するといった使い方も可能になる（使用上の汎用性が広がる）。
【０００８】
座部の幅方向中央部に対し、ベルト部材の一端部との連結及び離脱を自在にするセンタ側ベルト連結部を設ける場合、このセンタ側ベルト連結部は、前後方向に位置調整自在とするのが好適である。このようにすることで、着用者の体格や好みに対応して柔軟な対応ができる。そのため着座者に対して窮屈さを感じさせるおそれが少ない。
椅子本体には、座部の左右両側で着座者の腕を支持するアームレストを設けることができる。この場合ベルト部材は、座部とアームレストとの相隣間で一端部が支持された状態で、他端側がこの支持端側からアームレストの上を超えてアームレストの左右外方へ架け渡し可能な自由端とすることができる。この場合、椅子本体には、座部側から見てアームレストを超えた外側となる面の適所に、ベルト部材の自由端を連結及び離脱自在にするサイド側ベルト連結部を設ける。加えて、当該ベルト部材には、着座者の上腕にマッサージ動作を施すエア駆動によるマッサージ手段を設ける。
【０００９】
このようにしておけば、例えばベルト部材自体、又はアームレスト側にマッサージ手段を設けた場合に、これらマッサージ手段によってアームレスト上へ置いた着座者の腕をもマッサージすることができる。
なお好ましくは、前記上腕用のマッサージ手段と大腿上面用のマッサージ手段とが、同一の機構で構成されているとい。
上記した座部中央部のセンタ側ベルト連結部と、アームレスト外側のサイド側ベルト連結部とを、両方設けた場合にあっては、ベルト部材の自由端をセンタ側ベルト連結部に連結するか、或いはサイド側ベルト連結部に連結するかの選択で、このベルト部材を大腿用と腕用とに兼用できることになり、構造上の各種利点を得られることになる。
【００１０】
サイド側ベルト連結部についても、前後方向に位置調整自在とするのが好適である。このようにすることで、着用者の体格や好みに対応して柔軟な対応ができる。そのため着座者に対して窮屈さを感じさせるおそれが少ない。
サイド側ベルト連結部は、アームレストに対して出没方向に移動自在にすることも好適とされる。このようにすることで、サイド側ベルト連結部の不使用時における外観性を向上させることができると共に、余計な出っ張りを防止できることによって、この椅子型マッサージ機の周辺での所作に邪魔となるのを防止できる等の利点が得られる。
【００１１】
アームレストには、座部に面する側面にベルト部材を収納するベルト収納部を設けることができる。このベルト収納部を設ければ、ベルト部材の不使用時にこのベルト部材を収納することができるので、座部への着座時やアームレスト上へ腕を置くときなどに邪魔とならない。また、椅子型マッサージ機全体として、見栄えがスッキリとする。
ベルト部材は、その長手方向に沿った長さ調節が自在とするのが好適である。このようにすることで、着用者の体格や好みに対応して柔軟な対応ができる。そのため着座者に対して窮屈さを感じさせるおそれが少ない。
【００１２】
なお、ここにおいて「長さ調節」は、ベルト部材の長手方向に沿って弾性伸縮する部分を設ける場合にあって、この弾性伸縮部分が起こす弾性変化をも含めて言うものとする。
【発明の効果】
【００１３】
本発明に係る椅子型マッサージ機では、着座者の体重や体格等に影響されることなく、太腿の前側（前部）を確実にマッサージできるようになる。
【発明を実施するための最良の形態】
【００１４】
以下、本発明の実施の形態を、図面に基づき説明する。
図１乃至図８は、本発明に係る椅子型マッサージ機１の一実施形態を示している。この椅子型マッサージ機１は、座部２が設けられた椅子本体３を有している。本実施形態の椅子本体３は、座部２の他にも、座部２の後部に設けられた背もたれ部４、座部２の左右両側に設けられたアームレスト５、座部２の前部に設けられたフットレスト６を有している。
背もたれ部４は座部２の後部で立姿勢と寝姿勢との間を揺動可能とされ、フットレスト６は座部２の前部で垂れ姿勢と跳ね上げ姿勢との間を揺動可能とされている。これら背もたれ部４やフットレスト６を揺動させる構造には電動、エア圧駆動、又は手動のいずれを採用してもよく、また単動にしても相互連動にしてもよい。必要に応じて座部２の前後動などを加えてもよい。これらの動きを持たせることで椅子としてのリクライニング機能が得られる。
【００１５】
座部２には、エア圧駆動や電動バイブレータによる振動などを行うためのマッサージ手段７が設けられている。このマッサージ手段７により、座部２への着座者は、臀部乃至大腿裏にかけた一部又は全部に対してマッサージを受けることができる。なお、背もたれ部４やフットレスト６にもこの種のマッサージ手段を設ければよい。
椅子本体３にはベルト部材１０が設けられている。このベルト部材１０には左側配置のものと右側配置のものとがある。左側配置のベルト部材１０は、座部２の左辺部と左側のアームレスト５との相隣間で一端部が支持され、他端部が自由端１１として延び出されており、右側配置のベルト部材１０は、座部２の右辺部と右側のアームレスト５との相隣間で一端部が支持され、他端部が自由端１１として延び出されている。
【００１６】
各ベルト部材１０は、支持端側からアームレスト５の上を超えてその左右外方へ架け渡し可能な長さとされている。また、各ベルト部材１０の自由端１１には連結具１２が設けられている。
これに対して椅子本体３には、座部２の幅方向中央部にセンタ側ベルト連結部１５が設けられ、座部２側から見て左右の各アームレスト５を超えた外側となる面の適所に、サイド側ベルト連結部１６が設けられている。これらセンタ側ベルト連結部１５及びサイド側ベルト連結部１６は、いずれもベルト部材１０の連結具１２と連結及び離脱が自在に行える構造となっている。
【００１７】
座部２において、センタ側ベルト連結部１５は内部のクッション材中へ埋設状に設けられ、クッション材の表面を包み込んでいるカバーシート材１８には、このセンタ側連結部１５に対応した位置にスリット１９が設けられている。このスリット１９は、カバーシート材１８の弾性や張力を利用して閉じた状態を維持できるようにすればよい。また面ファスナーやファスナー、ボタンなどを用いて閉じた状態を維持できるようにしてもよい。
サイド側ベルト連結部１６については、外部へ露出されたままとなっている。なお、ベルト部材１０の連結具１２との連結及び離脱が容易に行えるように、この連結及び離脱を行う部分がやや外方、斜め上方を向くように傾けられている。
【００１８】
センタ側ベルト連結部１５及びサイド側ベルト連結部１６は、ベルト部材１０の連結具１２と連結及び離脱するための構造が同じものとされている。
この構造は例えば、図８に示すようなものであって、センタ側ベルト連結部１５及びサイド側ベルト連結部１６はケース本体２０を有し、このケース本体２０の内部には板バネ等により弾性を有して形成されたフック片２１が設けられている。またこのケース本体２０には、バネ２２により頭部２３ａをケース外へ膨出保持する状態に付勢されながらも、必要に応じてケース本体２０内へ押し込み可能とされた離脱ボタン２３が設けられている。
【００１９】
この離脱ボタン２３はフック片２１に当接するフック解除片２４を有しており、この離脱ボタン２３の押し込み操作時にはフック解除片２４により、フック片２１に対してそれの弾性とは逆向きの押し戻し力を与えるようになっている。
これに対し、ベルト部材１０の連結具１２には、ケース本体２０内へ差し込まれる舌片２５が設けられ、この舌片２５の先端寄りに、フック片２１と係合可能なフック孔２６が形成されている（図１参照）。そのため、連結具１２をケース本体２０内へ差し込めば連結具１２のフック孔２６にフック片２１が係合して互いの連結状態が維持され、一方、離脱ボタン２３を押し込み操作することで、連結具１２のフック孔２６からフック片２１が追い出されて連結具１２をケース本体２０から引き抜くことができる。
【００２０】
従って図４及び図５に示すように、センタ側ベルト連結部１５に対して連結具１２を連結させれば、ベルト部材１０は、座部２に座る着座者における片足の大腿Ｔｈ上方を跨ってその両端部を椅子本体３側に連結される状態となり、この大腿Ｔｈの一部乃至全部（又は着座者全体）が座部２上で持ち上げられるのを阻止することができるようになる。
また図６及び図７に示すように、サイド側ベルト連結部１６に対して連結具１２を連結させれば、ベルト部材１０は、アームレスト５上へ置いた着座者の腕Ｆａ上方を跨ってその両端部を椅子本体３側に連結される状態となり、腕Ｆａをアームレスト５上へ拘束することができるようになる。
【００２１】
図２及び図３に示すように、センタ側ベルト連結部１５は、座部２内に設けられた支持脚３０によって上向きに保持されている。この支持脚３０は例えば揺動構造などを具備して前後方向への移動が可能となっており、これによってセンタ側ベルト連結部１５を前後方向に位置調整自在としてある。
このようにすることで、着用者の体格や好みに柔軟に対応して、ベルト部材１０が大腿Ｔｈ上方を跨る位置付けを調整できるので、着座者に対して窮屈さを感じさせるおそれが少ない。しかも、センタ側ベルト連結部１５の不使用時には、着座者が立ち上がろうとしたり反対に着座しようとする行為中に、このセンタ側ベルト連結部１５が着座者に当接しない位置（例えば最も前方位置）へ移動させておくことができ、これによって着座者が不快感を覚えることがないようにできる。
【００２２】
なお、このようにセンタ側ベルト連結部１５を前後方向に位置調整自在とする場合には、座部２に対して設けるスリット１９も前後方向に長く形成するのが好適である。また、支持脚３０に具備させる揺動構造にはラチェット機構を採用して調節後の揺動角度を仮保持できるようにしてもよいし、或いは敢えてラチェット機構を採用しないものとして（揺動自在のままとして）、着座者の着座姿勢中の動きに追従できるようにしてもよい。前方へ向けてバネ等で引っ張る構造にして、着座者が立ち上がるときや着座するときの不快感防止効果を確実に得られるように工夫してもよい。
【００２３】
図３に示すように、サイド側ベルト連結部１６についても、前後方向へ向けた適宜揺動構造又は適宜スライド構造を具備しており、前後方向に位置調整自在とされている。
このようにすることで、着用者の体格（腕Ｆａの太さや長さ等）や好みに柔軟に対応して、ベルト部材１０が腕Ｆａ上方を跨る位置付けを調整できるので、着座者に対して窮屈さを感じさせるおそれが少ない。
図２、図３、図５、図７に示すように、ベルト部材１０が椅子本体３に対して支持される部分はアームレスト５の内部とされており、このアームレスト５の内部には、支持側位置調節手段４０が設けられている。
【００２４】
この支持側位置調節手段４０は、長手方向を前後方向へ向けた支持バー４１と、この支持バー４１の両端部を支持するブラケット部材４２と、このブラケット部材４２を上下動自在に保持するガイドバー４３とを有している。ベルト部材１０の支持側の端部４５は、支持バー４１に対して前後動自在な状態で連結されている。
なお、ガイドバー４３に対するブラケット部材４２の上下動には例えば送りねじ機構を採用しておき、これを電動又は手動の駆動部４６で駆動させる構造等とすることができる。
【００２５】
このような支持側位置調節手段４０を設けることで、上記したセンタ側ベルト連結部１５やサイド側ベルト連結部１６の前後方向位置調整に、更に調整幅が広がる。しかも、この支持側位置調節手段４０が有する上下方向の位置調節機能は、実質的にベルト部材１０の長さ調節を可能とするものである。のみならず、大腿Ｔｈや腕Ｆａに対してベルト部材１０を巻き掛ける状況下での巻掛け角度を調節することにもなるから、着用者の体格や好みに対応して一層柔軟な対応（フィット感調整など）ができることになる。
アームレスト５には、座部２に面する側面に対し、支持側位置調節手段４０からベルト１０を外方へ引き出すためのベルト用通孔５０が設けられていることになるが、このベルト用通孔５０が設けられた部位はアームレスト５内へ窪んだ状態とされており、ここにベルト部材１０を収納するためのベルト収納部５２が設けられている。
【００２６】
そのため、ベルト部材１０の不使用時にはこのベルト部材１０をベルト収納部５２へ収納することができ、ベルト部材１０が座部２への着座時やアームレスト５上へ腕Ｆａを置くときなどに邪魔とならない。また、椅子型マッサージ機１の全体として見栄えがスッキリとする。
ベルト部材１０には、エア駆動によるマッサージ手段が設けられている。そのため、着座者における大腿Ｔｈの上面や腕Ｆａをマッサージできるようになる。
以上詳説したように、本発明に係る椅子型マッサージ機１では、座部２に着座者が座わった後、ベルト部材１０の連結具１２をセンタ側ベルト連結部１５に対して連結させれば（図４及び図５参照）、このベルト部材１０で着座者の大腿Ｔｈ上方を跨らせた架け渡し状態にできる。
【００２７】
従って、座部２に設けられたマッサージ手段７を作動させた場合でも、大腿Ｔｈ（要するに着座者全体）が座部２上で持ち上げられるのを阻止することができ、着座者の臀部乃至大腿裏にかけた一部又は全部に対するマッサージ効果を十分に得ることができる。またベルト部材１０に設けられたエア駆動によるマッサージ手段を作動させれば、着座者の大腿上面をマッサージでき、座部２側のマッサージ手段７との協同作用として、マッサージ効果を一層高めることができる。
なお、座部２側のマッサージ手段７を作動させず、ベルト部材１０のマッサージ手段だけを単独で作動させるような使い方も、当然にできる。
【００２８】
一方、ベルト部材１０の連結具１２をサイド側ベルト連結部１６に対して連結させれば（図６及び図７参照）、このベルト部材１０でアームレスト５上へ置いた着座者の腕Ｆａ上方を跨らせた架け渡し状態にできる。
従って、ベルト部材１０に設けられたエア駆動によるマッサージ手段を作動させれば、腕Ｆａをアームレスト５上へ拘束した状態で、腕Ｆａに対するマッサージ効果を十分に得ることができる。
ベルト部材１０は、不使用時にはアームレスト５に設けられたベルト収納部５２へ収納することができるので、座部２への着座時やアームレスト５上へ腕Ｆａを置くときなどにこのベルト部材１０が邪魔とならず、また椅子型マッサージ機１全体として見栄えがスッキリとする。
【００２９】
ベルト部材１０の連結具１２をセンタ側ベルト連結部１５に連結するかサイド側ベルト連結部１６に連結するかの選択で、このベルト部材１０を大腿Ｔｈ用と腕Ｆａ用とに兼用できることになり、構造上の大型化抑制（小型化）、複雑化抑制（簡潔化）が図れ、見栄え上の悪さ（厳つさ等）を防止できると共に、低コスト化が図れる等、様々な利点が得られるものである。
図８に示すように、サイド側ベルト連結部１６は、アームレスト５に対して出没方向に移動自在にすることもできる。このようにすることで、サイド側ベルト連結部１６の不使用時における外観性を向上させることができると共に、余計な出っ張りを防止できることによって、この椅子型マッサージ機１の周辺での所作に邪魔となるのを防止できる等の利点が得られる。
【００３０】
ところで、本発明は、上記実施形態に限定されるものではなく、実施の形態に応じて適宜変更可能である。
例えば、ベルト部材１０にマッサージ手段を設けない場合も含めるものとする。ベルト部材１０は、両足の大腿Ｔｈを一跨ぎにするスパンを有したものとして形成し、座部２の左右両側間へ架け渡すようにしてもよい。
ベルト部材１０の長さ調節に関しては、ベルト部分（マッサージ手段を設けない部分）を利用して、直接的な長さ調節構造を採用したり、伸縮ベルトを設けたりすることができる。また、アームレスト５を高さ調節可能にしたり、センタ側ベルト連結部１５やサイド側ベルト連結部１６を高さ調節可能にしたりして、これらをベルト部材１０の長さ調節に使うようにしてもよい。
【００３１】
アームレスト５にも適宜マッサージ手段を設けることができる。
【図面の簡単な説明】
【００３２】
【図１】本発明に係る椅子型マッサージ機の一実施形態を示した斜視図である。
【図２】図１のＡ−Ａ線断面図である。
【図３】図１のＢ−Ｂ線矢視図である。
【図４】大腿のマッサージ状態を図１と比較し易く描いた斜視図である。
【図５】図４のＣ−Ｃ線断面図である。
【図６】腕のマッサージ状態を図１と比較し易く描いた斜視図である。
【図７】図６のＤ−Ｄ線断面図である。
【図８】センタ側ベルト連結部の一例を示した正面断面図である。
【図９】アームレストに対するサイド側ベルト連結部の取付状態の別例を示した正面断面図である。
【符号の説明】
【００３３】
１  椅子型マッサージ機
２  座部
３  椅子本体
５  アームレスト
７  マッサージ手段（座部側）
１０  ベルト部材
１５  センタ側ベルト連結部
１６  サイド側ベルト連結部
５２  ベルト収納部
Ｔｈ  大腿
Ｆａ  腕
【図１】
2006346353.tif 000003
【図２】
2006346353.tif 000004
【図３】
2006346353.tif 000005
【図４】
2006346353.tif 000006
【図５】
2006346353.tif 000007
【図６】
2006346353.tif 000008
【図７】
2006346353.tif 000009
【図８】
2006346353.tif 000010
【図９】
2006346353.tif 000011